(57)【要約】【課題】ファイル本体に蓋部をしっかりと仮固定することができ、しかもファイル本体の蓋部による形状保持機能や蓋部自体の変形防止機能等を効果的に発揮させることができるボックスファイルの技術を提供すること。【解決手段】上面が開口された箱形のファイル本体１と、その上面開口部１１を開閉する蓋部２と、底蓋３とを備えている。蓋部２は、ファイル本体１に薄肉ヒンジＡを介して設けられた蓋本体２１と、その蓋本体２１の自由端側に薄肉ヒンジＢを介して設けられたフラップ部２２と、そのフラップ部２２の長手方向に間隔をおいて設けられた２つの係合舌片２３、２３とを備えている。ファイル本体１の開口部１１の縁部分には、蓋部２の閉位置において各係合舌片２３、２３がそれぞれ差し込まれる係合口１２、１２が設けられている。【選択図】図１
2007098725.tif 000002
【特許請求の範囲】
【請求項１】
上面が開口された箱形のファイル本体に、その上面開口部を開閉する蓋部が設けられた合成樹脂製のボックスファイルであって、
前記蓋部は、前記ファイル本体に薄肉ヒンジを介して設けられた蓋本体と、その蓋本体の自由端側に薄肉ヒンジを介して設けられたフラップ部と、そのフラップ部の長手方向に間隔をおいて設けられた２つの係合舌片とを備え、
前記ファイル本体の開口部の縁部分には、前記蓋部の閉位置において前記各係合舌片がそれぞれ差し込まれる係合口が設けられている、ボックスファイル。
【請求項２】
前記各係合舌片は、前記フラップ部の切り欠きにより形成され、前記フラップ部は、前記各係合舌片を除く部分がプレート状に連続している、請求項１に記載のボックスファイル。
【請求項３】
前記ファイル本体は、前面材、後面材、左右の側面材、及び底蓋材が薄肉ヒンジの部分より折り合わされて上面開口の箱形に形成され、前記蓋本体は前記後面材の上辺に薄肉ヒンジを介して設けられ、前記各係合口は前記前面材の上辺近くの内面側に設けられた切り込みにより形成されている、請求項１に記載のボックスファイル。
【請求項４】
前記前面材には、その上辺寄りの位置に取っ手穴が設けられ、前記フラップ部の自由端部分のうち、前記取っ手穴に対応する部分は、閉蓋状態において取っ手穴の上縁部又は上縁部近くに及んでいる、請求項３に記載のボックスファイル。
【請求項５】
前記フラップ部の薄肉ヒンジと前記各係合舌片の薄肉ヒンジは、前記蓋本体の自由端に沿って一列に設けられている、請求項１〜４の何れかに記載のボックスファイル。
【発明の詳細な説明】
【技術分野】
【０００１】
本発明は、上面が開口された箱形のファイル本体に、その上面開口部を開閉する蓋部が設けられた合成樹脂製のボックスファイルに関する。
【背景技術】
【０００２】
この種のボックスファイルは、折り畳み可能なものと、折り畳み不可能なものに大別できる。折り畳み可能なボックスファイルとしては、例えば特許文献１に記載されている。同文献に記載のボックスファイルは、その展開図に対応する形状に加工した厚紙を用いて、ワンタッチ組立及びワンタッチ折り畳み可能に構成されている。
【０００３】
即ち、このボックスファイルは、図８〜図１０に示すように、前片１０２、後片１０３、左側片１０４、右側片１０５、底蓋１０６を折り合わせて上面開口の箱体１０１を構成している。そして、後片１０２の上端部には切り欠き部１０２Ａを形成し、その切り欠き部１０２Ａの下辺１０２Ｂにそれぞれ折線Ｅ、Ｆ、Ｇを介して前面蓋片１０８Ｂと上面蓋片１０８Ａと係止片１０９とを連設している。
【０００４】
この構成により、ワンタッチ組立て及びワンタッチ折畳みの機能を損ねることなしに、箱体１０１への塵埃侵入の防止を図るものである。
【０００５】
さらに、上面蓋片１０８Ａと係止片１０９との境界部分に、図１０に示す閉蓋状態において後片１０３の上縁に当接する掛止舌片１８１を設けると共に、係止片１０９の長手方向の中央部に、後片１０３に設けた切り込み部１１１に挿入可能な挿入舌片１０９Ａを設けることで、上面蓋片１０８Ａがボックスファイル内に没入するのを防止できる構成としたものである。
【０００６】
蓋片１０８を蓋として使用しないときには、図９に示すように、箱体１０１内に収納可能である。箱体１０１の折り畳み時には、底蓋１０６を手指等で押し上げることで、箱体１０１が菱形に変形可能となり、そのまま変形させることで、扁平に折りたたむことができる。
【特許文献１】特開平８−０３９９８０号公報
【発明の開示】
【発明が解決しようとする課題】
【０００７】
しかしながら、このような折り畳み式ボックスファイルを、厚紙に代えて、耐久性に優れた柔軟性のある薄いプレート等を用いて形成した場合、表面が滑り易いため、特許文献１に記載のように、蓋片１０８を閉じ、係止片１０９の長手方向の中央に設けた一つの挿入舌片１０９Ａを切り込み部１１１に挿入し、蓋片１０８を箱体１０１にしっかりと仮固定することが難しく、また蓋部も変形しやすいという問題がある。
【０００８】
よって、本発明の課題は、ファイル本体に蓋部をしっかりと仮固定することができ、しかもファイル本体の蓋部による形状保持機能や蓋部自体の変形防止機能等を効果的に発揮させることができるボックスファイルの技術を提供することにある。
【課題を解決するための手段】
【０００９】
前記課題を解決するため、本発明では以下の手段を採用した。
本発明は、上面が開口された箱形のファイル本体に、その上面開口部を開閉する蓋部が設けられたボックスファイルであって、蓋部は、ファイル本体に薄肉ヒンジを介して設け
られた蓋本体と、その蓋本体の自由端側に薄肉ヒンジを介して設けられたフラップ部と、そのフラップ部の長手方向に間隔をおいて設けられた２つの係合舌片とを備え、ファイル本体の開口部の縁部分には、蓋部の閉位置において各係合舌片がそれぞれ差し込まれる係合口が設けられている構成とした。
【００１０】
本発明によれば、フラップ部の長手方向に間隔をおいて２つの係合舌片を設け、両係合舌片を、それぞれ対応する係合口に差し込んで閉蓋状態とする構成としているので、ファイル本体に蓋部をしっかりと仮固定することができ、これにより、ファイル本体の蓋部による形状保持機能や蓋部自体の変形防止機能等を効果的に発揮させることができる。そして、これらの機能は、例えばポリプロピレン樹脂のように、表面が滑りやすく、柔らかく、コシの弱いプラスチックを用いて形成した合成樹脂製のボックスファイルにおいて、より効果的に発揮させることができる。
【００１１】
本発明において、前記各係合舌辺は、フラップ部の切り欠きにより形成され、フラップ部は、各係合舌片を除く部分がプレート状に連続している構成とすることが望ましい。このようにフラップ部の各係合舌片を除く部分をプレート状に連続させて、いわゆる一繋がりに形成した場合、閉蓋時にフラップ部を手指で押さえて内側へ少し屈曲させれば、各係合舌片がフラップ部から相対的に切り起こされた形態となる。したがって、フラップ部をファイル本体内に挿入する操作と、各係合舌片を係合口へ挿入する操作とを容易に行うことが可能になる。
【００１２】
本発明において、前記ファイル本体は、前面材、後面材、左右の側面材、及び底蓋材とが薄肉ヒンジの部分より折り合わされて上面開口の箱形に形成され、蓋本体は後面材の上辺に薄肉ヒンジを介して設けられ、各係合口は前面材の上辺近くの内面側に設けられた切り込みにより形成されていることが望ましい。このように、各係合口を切り込みにより形成した場合、前面材の弾力性を利用して、係合口内に係合舌片を保持させる力を高めることができる。また、各係合口を前面材の上辺近くの内面側に設けることで、各係合口に係合舌片を挿入する操作も容易にすることができる。
【００１３】
本発明において、前記前面材には、その上辺寄りの位置に取っ手穴が設けられ、フラップ部の自由端部分のうち、取っ手穴に対応する部分は、閉蓋状態において取っ手穴の上縁部又は上縁部近くに及んでいることが望ましい。このように構成した場合、閉蓋状態で取っ手穴に手指を入れてそのボックスファイルを持つときに、前面材の内面側にフラップ部が手指で押さえ付けられる形態で同時に持たれるため、ボックスファイルの持ち運びの際に蓋部が外れるのを未然に防止することができる。
【００１４】
本発明において、前記フラップ部の薄肉ヒンジと各係合舌片の薄肉ヒンジは、蓋本体の自由端に沿って一列に設けられていることが望ましい。このようにした場合、フラップ部の薄肉ヒンジと各係合舌片の薄肉ヒンジとを、制作性（成形性）に優れた直線状の共通の薄肉ヒンジで形成することができる。さらに、各係合舌片から独立させてフラップ部のみ折り曲げ操作を可能にすることができる。
【発明の効果】
【００１５】
本発明のボックスファイルによれば、ファイル本体に蓋部をしっかりと仮固定することができ、しかも、ファイル本体の蓋部による形状保持機能や蓋部自体の変形防止機能等を効果的に発揮させることができる。
【発明を実施するための最良の形態】
【００１６】
以下、本発明を合成樹脂製のボックスファイルに適用した実施の形態について、図面を参照して説明する。図１は、本発明の実施例に係るボックスファイルの斜視図である。図
２は蓋部を内側へ折り曲げた状態の斜視図である。図３は蓋部を閉蓋状態にする操作例を示す斜視図である。図４は展開図である。
【００１７】
（実施例）
この実施例のボックスファイルは、上面が開口された箱形のファイル本体１と、その上面開口部１１を開閉する蓋部２と、底蓋３とを備えている。これらファイル本体１、蓋部２、底蓋３は、図４に示す展開図に対応する形状の薄くてコシの弱いポリプロピレン樹脂プレートにより形成されている。
【００１８】
蓋部２は、ファイル本体１に薄肉ヒンジＡを介して設けられた蓋本体２１と、その蓋本体２１の自由端側に薄肉ヒンジＢを介して設けられたフラップ部２２と、そのフラップ部２２の長手方向に間隔をおいて設けられた２つの係合舌片２３、２３とを備えている。ファイル本体１の開口部１１の縁部分には、蓋部２の閉位置において各係合舌片２３、２３がそれぞれ差し込まれる係合口１２、１２（図２参照）が設けられている。
【００１９】
蓋部２の各係合舌辺２３、２３は、この実施例ではフラップ部２２のＵ形状の切り欠き２３ａ、２３ａによりそれぞれ形成されている。これにより、フラップ部２２は、各係合舌片２３、２３を除く部分がプレート状に連続したいわゆる一繋がりに形成されている。さらに、フラップ部２２の薄肉ヒンジＢと、各係合舌片２３、２３の薄肉ヒンジＢは、蓋本体２１の自由端に沿って一列に設けられている。即ち、フラップ部２２の薄肉ヒンジＢと、各係合舌片２３、２３の薄肉ヒンジＢは、蓋本体２１の自由端に沿って蓋本体２１の長手方向（矢印イ方向）全長に亘って延びる一つの直線状の薄肉ヒンジにより形成されている。
【００２０】
また、ファイル本体１の前面材１３には、その上辺寄りの位置に取っ手穴５が設けられている。そして、フラップ部２２の自由端部分のうち、取っ手穴５に対応する部分は、閉蓋状態において取っ手穴５の上縁部又は上縁部近くに及んでいる形状としている。換言すれば、フラップ部２２の長手方向中央部分の高さｈは前面材１３の上辺から取っ手穴５に至る高さとほぼ等しくなるように形成されている。
【００２１】
取っ手穴５の上縁には、その上縁に沿って細長く延びる内側への折り曲げ片５ａが設けられている。この折り曲げ片５ａは、取っ手穴５に手指を掛けてファイル本体１を持つときに痛くないように取っ手穴の上縁に厚みを持たせるための手当部分として機能する。
【００２２】
各係合舌片２３、２３を差し込んで仮固定する各係合口１２、１２は、前面材の上辺近くの内面側に設けられた切り込みにより形成されている。そして、各係合口１２、１２部分には後述する折り返し片１３ｂを内側へ折り曲げて固定した状態において、図２に示すように、上方への微少突出片１２ａ、１２ａがそれぞれ形成されている。これにより、この微少突出片１２ａ、１２ａ部分が、対応する係合舌片２３、２３を差し込み易くするためのガイドとして機能するように配慮されている。
【００２３】
一方、ファイル本体１は、４つの側壁部分を構成する前面材１３、後面材１４、左側面材１５、及び右側面材１６と、底蓋３とが、図４の展開図に示すように、薄肉ヒンジＣ、Ｄ、Ｅ、Ｆ、Ｇ、Ｈ、Ｉ、Ｊの部分より折り合わされて上面開口の箱形に形成されている。また、蓋部２の蓋本体２１は後面材１４の上辺に薄肉ヒンジＡを介して設けられている。
【００２４】
前面材１３、後面材１４、左側面材１５、及び右側面材１６の、互いに隣り合う面材どうしを折り曲げ可能に連続させる薄肉ヒンジＣ、Ｄ、Ｅ、Ｆについては、この実施例では、５ｍｍ前後の間隔をおいて並行に一対ずつ設けられている。これにより、ファイル本体
１の四隅部分が滑らかな角部に形成されている。また、前面材１３の上辺中央部には、閉蓋状態の蓋部２を開けるときに親指の指先などを差し入れるために利用する半円状切り欠き４が設けられている。
【００２５】
後面材１４の上辺の両側には、その上辺から互いに接近する斜め方向に延びる斜め切り込み１４ａ、１４ａが設けられている。そして、後面材１４には、この斜め切り込み１４ａ、１４ａの先端どうしを連絡する方向に延びる薄肉ヒンジＡ１が設けられている。これにより、薄肉ヒンジＡと薄肉ヒンジＡ１の間に、蓋本体２１の長手方向（図１において矢印イ方向）に延びる帯状部分１４ｂが形成されている。この帯状部分１４ｂは、図２に示すように、蓋部２をファイル本体１内に折り込んだ状態で、書類等の出し入れや検索がし易くなり、また、図１に示すように、蓋部２を後面材１４の外側に開いた状態で、書類等の出し入れや検索がし易いように配慮されている。
【００２６】
ファイル本体１の右側面材１６には、図４に示すように、前面材１３との接続片１６ａが薄肉ヒンジＦを介して設けられている。接続片１６ａは、ファイル本体１の折り合わせ時に、前面材１３の内側へ折り込まれて超音波溶着等により一体化される。また、前面材１３、左側面材１５、右側面材１６の上辺側には、薄肉部Ｋ、Ｌ、Ｍを介してそれぞれ内面側へ折り返される折り返し片１３ｂ、１５ｂ、１６ｂがそれぞれ設けられている。これらの折り返し片１３ｂ、１５ｂ、１６ｂは同じく超音波溶着されて一体化される。これらの折り返し片１３ｂ、１５ｂ、１６ｂは、それぞれ対応する部分の補強機能を発揮すると共に、ファイル本体１の上辺部分が滑らかなＲに形成されるように配慮されている。
【００２７】
ファイル本体１の底蓋３は、第１底蓋材３１、第２底蓋材３２、第３底蓋材３３、第４底蓋材３４を有する４つの蓋材からなり、これらが一つの底蓋として組み合わされる構成とされている。即ち、第１底蓋材３１には係合片３１ａが設けられ、この係合片３１ａが第２底蓋材３２に形成されたスロット状切り込み３２ａに差し込まれて組み合わされる。また、第３底蓋材３３には係合片３３ａが設けられ、この係合片３３ａが第４底蓋材３４に形成されたスロット状切り込み３４ａに差し込まれて組み合わされる。
【００２８】
さらに、第１底蓋材３１には突出長の小さい差込片３１ｂが設けられ、この差込片３１ｂが第３底蓋材３３に形成されたスロット状切り込み３３ｃに差し込まれて組み合わされる。また、第３底蓋材３３には突出長の小さい差込片３３ｂが設けられ、この差込片３３ｂが第１底蓋材３１に形成されたスロット状切り込み３１ｃに差し込まれて組み合わされる。
【００２９】
従って、このように係合片や差し込み片を差し込んで組み合わせる底蓋３を有するファイル本体１は、簡易な操作で組立及び折り畳み可能な構成とされている（図６参照）。これにより、組み立てた状態における底蓋３はファイル本体１の底部形状を保持する作用を発揮する。なお、図において６は指掛け穴、７は台紙を示している。
【００３０】
この実施例によれば、フラップ部２２の長手方向に間隔をおいて２つの係合舌片２３、２３を設け、両係合舌片２３を、それぞれ対応する係合口１２に差し込んで閉蓋状態とする構成としているので、ファイル本体１に蓋部２をしっかりと仮固定することができる。これにより、ファイル本体１の蓋部２による形状保持作用や蓋部２自体の変形防止作用等を効果的に発揮させることができる。さらに、フラップ部２２は蓋本体２１の自由端の全長に至るように設けられているので、このフラップ部２２は蓋部２全体の剛性を高める作用を発揮する。そして、これらの作用は、実施例のように、表面が滑りやすく、柔らかく、コシの弱いポリプロピレン樹脂を用いて形成した場合に、より効果的に発揮させることができる。
【００３１】
また、フラップ部２２の各係合舌片２３、２３を除く部分をプレート状に連続させて、いわゆる一繋がりに形成しているので、例えば図３に示すように、閉蓋時にフラップ部２２を手指で押さえて内側へ少し屈曲させれば、各係合舌片２３、２３がフラップ部２２から相対的に切り起こされた形態となる。即ち、フラップ部２２を内側へ押し曲げると、各係合舌片２３、２３の自由端がフラップ部２２から相対的に離間する。したがって、図５に示すように、フラップ部２２をファイル本体１内に挿入する操作と、各係合舌片２３、２３を係合口１２、１２へ挿入する操作とを容易に行うことができる。
【００３２】
また、各係合口１２、１２を前面材１３への切り込みにより形成しているので、前面材１３の弾力性を利用して、係合口１２内に係合舌片２３を保持させる力を高めることができる。この際、各係合舌片２３、２３は図５に示すように、前面材１３の内側へ折り曲げて溶着してある補強片１３ｂと前面片１３とにより挟み付けられるので、係合口１２内に係合舌片２３を保持させる力を充分に高めることができる。従って、この点からも蓋部２をファイル本体１にしっかりと固定する作用を高めることができる。また、各係合口１２、１２を前面材１３の上辺近くの内面側に設けることで、各係合口１２、１２に係合舌片２３、２３を挿入する操作も容易にすることができる。
【００３３】
また、フラップ部２２の自由端部分のうち、取っ手穴５に対応する部分は、閉蓋状態において取っ手穴５の上縁部又は上縁部近くに至るように設定してあるので、閉蓋状態で取っ手穴５に手指を入れてそのボックスファイルを持つときに、前面材１３の内面側にフラップ部２２が手指で押さえ付けられる形態で同時に持たれるため、ボックスファイルの持ち運びの際に蓋部２が容易に外れるのを防ぐことができる。
【００３４】
さらに、フラップ部２２の薄肉ヒンジＢと各係合舌片２３、２３の薄肉ヒンジＢを、蓋本体２１の自由端に沿って一列に設けてあるので、フラップ部２２の薄肉ヒンジＢと各係合舌片の薄肉ヒンジＢとを、制作性（成形性）に優れた直線状の共通の薄肉ヒンジで形成することができる。しかも、各係合舌片２３，２３から独立させてフラップ部２２のみ折り曲げ操作を可能にすることができる。
【００３５】
なお、実施例のボックスファイルでは、蓋部２を開閉するときに、図３に示すようにフラップ部２２を親指等で内側へ押さえるようにして蓋部２を掴むため、蓋部２を最後まで閉じる際に、親指が前面材１３の上辺に当たる場合もある。この点に配慮し、例えば図７に示すように、前面材１３の上辺に設ける半円状切り欠き４を親指全体が入る程度に大き目に形成して、蓋部２の開閉操作を便利にすることもできる。
【図面の簡単な説明】
【００３６】
【図１】本発明の実施例に係るボックスファイルの開蓋状態の斜視図である。
【図２】本発明の実施例に係るボックスファイルの蓋部を内側へ折り曲げた状態の斜視図である。
【図３】本発明の実施例に係るボックスファイルの蓋部を閉蓋状態にする操作例を示す斜視図である。
【図４】本発明の実施例に係るボックスファイルの展開図である。
【図５】本発明の実施例に係るボックスファイルの閉蓋状態の一部切り欠き斜視図である。
【図６】本発明の実施例に係るボックスファイルの折り畳み状態を示すもので、（ａ）は背面図、（ｂ）は正面図である。
【図７】本発明の他の実施例に係るボックスファイルの斜視図である。
【図８】従来のボックスファイルを示す開蓋状態の斜視図である。
【図９】従来のボックスファイルの蓋片を内側へ折り曲げた状態の斜視図である。
【図１０】従来のボックスファイルの蓋片を閉じた状態の斜視図である。
【符号の説明】
【００３７】
１  ファイル本体
１１  上面開口部
１２  係合口
１３  前面材
１４  後面材
１５  左側面材
１６  右側面材
２  蓋部
２１  蓋本体
２２  フラップ部
２３  係合舌片
Ａ〜Ｍ  薄肉ヒンジ
【図１】
2007098725.tif 000003
【図２】
2007098725.tif 000004
【図３】
2007098725.tif 000005
【図４】
2007098725.tif 000006
【図５】
2007098725.tif 000007
【図６】
2007098725.tif 000008
【図７】
2007098725.tif 000009
【図８】
2007098725.tif 000010
【図９】
2007098725.tif 000011
【図１０】
2007098725.tif 000012